(57)【要約】【課題】本発明は、装着者が水面上に浮かんだ状態を安定的に維持することができる救命胴衣を提供する。【解決手段】本発明の救命胴衣Ａは、救命胴衣本体１の襟首部１ａから後ろ襟部２１を救命胴衣本体１の後ろ身頃１１の背面に沿って起伏自在に吊設し、この後ろ襟部２１内に浮力材２１ａ  を内装していることを特徴とするので、救命胴衣の装着者Ｂが水中に落下した場合には、後ろ襟部Ｂが自動的に水面上に浮いた状態となり、この後ろ襟部Ｂによって救命胴衣の装着者が大きく揺れるのを最小限に規制し、装着者Ｂの呼吸を確保することができる。【選択図】    図１
2004168231.tif 000002
【特許請求の範囲】
【請求項１】
救命胴衣本体の襟首部から後ろ襟部を救命胴衣本体の後ろ身頃の背面に沿って起伏自在に吊設し、この後ろ襟部内に浮力材を内装していることを特徴とする救命胴衣。
【請求項２】
後ろ襟部は、救命胴衣の装着者の頭部を支持させた際に装着者の頭頂部よりも後方に突出する縦幅を有していることを特徴とする請求項１に記載の救命胴衣。
【請求項３】
後ろ襟部の下端部に把手部を一体的に設けていることを特徴とする請求項１又は請求項２に記載の救命胴衣。
【発明の詳細な説明】
【０００１】
【発明の属する技術分野】
本発明は、装着者が水面に浮かんだ状態を安定的に維持し得る救命胴衣に関する。
【０００２】
【従来の技術】
従来から、釣り船や磯等での魚釣り、ヨットやラフティング等のマリンスポーツにおいて、水中にあやまって落ちた際に溺れるのを防止するために救命胴衣を装着することが行われている。
【０００３】
このような救命胴衣としては、特許文献１に示したように、後ろ身頃と左右前身頃とからなり、この後ろ身頃及び左右前身頃内に発泡体等の浮力材を内装してなるものが従来から提供されている。
【０００４】
しかしながら、上記救命胴衣は、後ろ身頃及び左右前身頃の夫々に浮力材を内装しているだけに過ぎないことから、海や急流等のように水面が荒れているような場合には、装着者が水面の変化に円滑に対応することができずに水を多量に飲んだりするといった問題点があった。
【０００５】
【特許文献１】
特開平８−２３０７７８号公報（特許請求の範囲）
【０００６】
【発明が解決しようとする課題】
本発明は、装着者が水面上に浮かんだ状態を安定的に維持することができる救命胴衣を提供する。
【０００７】
【課題を解決する手段】
請求項１に記載の救命胴衣は、救命胴衣本体の襟首部から後ろ襟部を救命胴衣本体の後ろ身頃の背面に沿って起伏自在に吊設し、この後ろ襟部内に浮力材を内装していることを特徴とする。
【０００８】
又、請求項２に記載の救命胴衣は、請求項１に記載の救命胴衣において、後ろ襟部は、救命胴衣の装着者の頭部を支持させた際に装着者の頭頂部よりも後方に突出する縦幅を有していることを特徴とする。
【０００９】
そして、請求項３に記載の救命胴衣は、請求項１又は請求項２に記載の救命胴衣において、後ろ襟部の下端部に把手部を一体的に設けていることを特徴とする。
【００１０】
【作用】
本発明の救命胴衣は、救命胴衣本体の襟首部から、浮力材を内装した後ろ襟部を救命胴衣本体の後ろ身頃の背面に沿って起伏自在に吊設してなるものであるから、救命胴衣の装着者が水中に落下した場合には、救命胴衣の後ろ襟部が、救命胴衣本体の後ろ身頃の背面に沿った状態から上方に向かって伏動して自動的に水上に浮かんだ状態となる。
【００１１】
この状態では、後ろ襟部は、水面の変化に円滑に対応して水面に沿って浮かんだ状態を維持し、そして、この後ろ襟部は、該後ろ襟部が吊設されている救命胴衣本体が大きく揺れるのを規制して、救命胴衣本体が水面に対して大きく揺れるような事態を回避する。よって、救命胴衣の装着者を水面上に安定的に浮かんだ状態に保持して、装着者の呼吸の確保を確実なものとすることができる。
【００１２】
又、本発明の救命胴衣の後ろ襟部は、陸上においては、救命胴衣本体の後ろ身頃の背面に沿った状態となっていることから、救命胴衣の装着者の動作を妨げることはない。
【００１３】
【発明の実施の形態】
本発明の救命胴衣の一例を図面を参照しつつ説明する。救命胴衣Ａの救命胴衣本体１は、図１乃び図２に示したように、内部に発泡体等の浮力材をそれぞれ内装してなる後ろ身頃１１及び左右前身頃１２、１３からなり、この後ろ身頃１１の左右上端部の夫々と左右前身頃１２、１３の上端部とが一体的に連結されていると共に、後ろ身頃１１の左右端部とこれに対向する左右前身頃１２、１３の端部とは、それらの下半部において紐３、３によって対向部間の隙間を広狭調節可能に接続してなる。
【００１４】
そして、上記後ろ身頃１１の上半部の左右端部とこれに対向する左右前身頃１２、１３の端部との間には左右の腕を出すための開口部１４、１５が形成されている一方、上記左右前身頃１２、１３の対向上半部は正面Ｖ字状に形成されていると共に左右前身頃１２、１３の対向下半部にはファスナー１６が一体的に設けられている。
【００１５】
又、上記救命胴衣本体１の後ろ身頃１１の上端部及び左右前身頃１２、１３のＶ字状部を形成している端縁部で形成された襟首部１ａには襟部２が一体的に設けられている。
【００１６】
上記襟部２は、図１及び図３に示したように、救命胴衣１の後ろ身頃１１の横幅よりも若干狭い横幅を有し且つ後ろ身頃１１の縦幅の略半分の縦幅を有する正面横長長方形状の後ろ襟部２１と、この後ろ襟部２１の左右上端の夫々から前方に向かって突設された正面三角形状の左右前襟部２２、２２とからなり、後ろ襟部２１を構成する正面横長長方形状の後ろ襟部形成体の左右上端から左右前襟部２２、２２を構成する正面三角形状の前襟部形成体が前方に向かって突設されてなる一対の布状体を前後方向に重ね合わせ、これら布状体の対向する外周縁同士を全周に亘って縫着した袋状に形成されている。更に、図４に示したように、上記後ろ襟部２１内には、この後ろ襟部２１よりも僅かに小さな大きさを有する正面横長長方形状の一定厚みを有する発泡体からなる浮力材２１ａ  が内装されている。
【００１７】
そして、襟部２における後ろ襟部２１の上端縁とこの後ろ襟部２１の上端縁に連なる左右前襟部２２、２２の端縁とにより形成された首回り部２ａは、上記救命胴衣本体１の襟首部１ａに沿った形状に形成されている。
【００１８】
この襟部２の首回り部２ａを救命胴衣本体１の襟首部１ａに沿って縫着一体化することによって、襟部２の後ろ襟部２１が救命胴衣本体１の後ろ身頃１１の上端から該後ろ身頃１１の背面に沿って下方に吊設された状態となる一方、襟部２の左右前襟部２２、２２は左右前身頃１２、１３のＶ字状部に一体的に設けられた状態となっており、上記後ろ襟部２１は、その上端部、即ち、後ろ身頃１１の上端との縫着部分及び左右前襟部２２、２２との連設部を中心にして上下方向に起伏自在に構成されている（図２参照）。
【００１９】
そして、図５に示したように、上記後ろ襟部２１をその上端部を中心にして伏動させて水平状態とし、この後ろ襟部２１上に救命胴衣Ａの装着者Ｂの頭部Ｂ１を支持させた状態では、上記後ろ襟部２１の先端部（下端部）が装着者の頭頂部よりも後方に突出した状態となるように構成している。
【００２０】
更に、図３に示したように、上記後ろ襟部２１の下端中央部には、正面Ｕ字状の布製帯状体の左右上端部の夫々を後ろ襟部２１の下端縁に左右方向に所定間隔を存した状態に縫着一体化することによって把手部２１ｂ  が一体的に設けられている。なお、後ろ襟部２１の下端中央部に前後方向に貫通する横長孔を形成し、この横長孔とこれに対向する後ろ襟部２１の下端との間の後ろ襟部２１部分を把手部としてもよい。
【００２１】
次に、上記救命胴衣Ａの使用要領について説明する。この救命胴衣Ａの装着要領は、従来の救命胴衣と同様の要領で装着すればよく、具体的には、救命胴衣本体１の開口部１４、１５から両腕を出した上で左右前身頃１２、１３間をファスナー１６によって閉じればよい。
【００２２】
救命胴衣Ａの装着者Ｂが陸上にいる時は、上記救命胴衣Ａの後ろ襟部２１は、その自重により、後ろ身頃１１から左右方向に殆どはみ出すことなく、後ろ身頃１１の背面に沿って下方に垂れ下がった状態となっていることから、救命胴衣Ａの装着者Ｂの動きを妨げることはない。
【００２３】
又、救命胴衣Ａの装着者Ｂが水中にあやまって落下した時には、救命胴衣本体１の後ろ身頃１１及び左右前身頃１２、１３に内装した浮力材の浮力によって、装着者Ｂは水面に対して起立した状態に水面上に浮かぶと共に、救命胴衣Ａの後ろ襟部２１がこれに内装した浮力材２１ａ  の浮力によって上端部、即ち、後ろ襟部２１の上端部及び左右前襟部２２、２２との連設部を中心にして上方に向かって自動的に伏動して水面上に浮いた状態となる（図６参照）。
【００２４】
この時、救命胴衣Ａの装着者Ｂが、海や急流等のように、水面が荒れて大きく変化しているような所にあやまって落下した場合にあっても、救命胴衣Ａの後ろ襟部２１は、水面の変化に円滑に対応して水面に沿って浮いた状態を維持する。
【００２５】
そして、後ろ襟部２１は、救命胴衣本体１の襟首部１ａとの接続部及び後ろ襟部２１の左右上端に連設された前襟部２２、２２を介して救命胴衣本体１が左右方向に大きく揺れるのを規制して、装着者Ｂが水をかぶったりする事態を最小限に抑え、装着者の呼吸を確実に確保することができる。
【００２６】
更に、図７に示したように、救命胴衣Ａの装着者Ｂが水面の荒れによって後方に倒れた場合にも、装着者Ｂの頭頂部よりも後方に突出した状態の後ろ襟部２１が装着者Ｂの頭部Ｂ１を下方から支持して装着者Ｂの頭部Ｂ１が水面の荒れに飲み込まれるのを防止することができ、又、救命胴衣Ａの装着者Ｂが水面の荒れによって前方に倒れそうになった場合にあっても、水面に浮かんだ後ろ襟部２１は、水面上を前方に移動する際の水の抵抗により、後ろ襟部２１が接続している救命胴衣本体１の上端部が前方に倒れるのを規制し、救命胴衣本体１が前方に倒れるのを規制して装着者Ｂが水面の荒れに飲み込まれるのを防止することができる。
【００２７】
又、救命胴衣Ａを装着した装着者Ｂを救助するには、救助者が救命胴衣Ａの装着者Ｂの後方から装着者Ｂに近づき、救助者が救命胴衣Ａの後ろ襟部２１の把手部２１ｂ  を把持して装着者Ｂを後方に引っ張って救助すればよい。
【００２８】
この状態では、図８に示したように、救命胴衣Ａの後ろ襟部２１が後方に引っ張られることによって、この後ろ襟部２１が接続した救命胴衣本体１の後ろ身頃１１の上端部が後方に向かって引っ張られて救命胴衣本体１が後方に傾倒し、救命胴衣Ａを装着した装着者Ｂも後方に傾倒した状態となるが、装着者Ｂの頭部Ｂ１は、装着者Ｂの頭頂部よりも後方に突出した状態で水面上に浮かんだ後ろ襟部２１によって下方から安定的に支持され或いは不測に水中に沈むのを確実に防止して水面上に出た状態を確実に維持し、よって、装着者Ｂの呼吸を確実に確保した状態に救助作業を遂行することができる。
【００２９】
【発明の効果】
請求項１に記載の救命胴衣は、救命胴衣本体の襟首部から後ろ襟部を救命胴衣本体の後ろ身頃の背面に沿って起伏自在に吊設し、この後ろ襟部内に浮力材を内装していることを特徴とするので、救命胴衣の装着者が水中に落下した場合には、後ろ襟部が自動的に水面上に浮いた状態となり、この後ろ襟部によって救命胴衣の装着者が大きく揺れるのを最小限に規制し、装着者の呼吸を確保することができる。
【００３０】
又、請求項２に記載の救命胴衣は、請求項１に記載の救命胴衣において、後ろ襟部は、救命胴衣の装着者の頭部を支持させた際に装着者の頭頂部よりも後方に突出する縦幅を有していることを特徴とするので、装着者の頭部を全面的に後ろ襟部によって安定的に支持する等して、装着者の頭部が水中に沈むのを確実に防止し、装着者の呼吸を確保することができる。
【００３１】
そして、請求項３に記載の救命胴衣は、請求項１又は請求項２に記載の救命胴衣において、後ろ襟部の下端部に把手部を一体的に設けていることを特徴とするので、救命胴衣の装着者を救助する場合には、上記把手部を把持して救命胴衣の装着者を後方に引っ張ることによって、救命胴衣の装着者の頭部を後ろ襟部によって下方から支持し或いは水中に不測に沈まない状態として装着者の呼吸を確実に確保しつつ装着者を円滑に救助することができる。
【図面の簡単な説明】
【図１】本発明の救命胴衣を示した斜視図である。
【図２】図１の救命胴衣の後ろ襟部を水平状態に変位させた状態を示した斜視図である。
【図３】図１の救命胴衣を示した背面図である。
【図４】図１の救命胴衣を示した一部断面図である。
【図５】後ろ襟部で装着者の頭部を支持した状態を下方から見た図である。
【図６】救命胴衣の使用状態を示した側面図である。
【図７】救命胴衣の使用状態を示した側面図である。
【図８】救命胴衣の使用状態を示した斜視図である。
【符号の説明】
１  救命胴衣本体
１ａ  襟首部
１１  後ろ身頃
１２  左側前身頃
１３  右側前身頃
１４、１５  開口部
２  襟部
２１  後ろ襟部
２２  前襟部
２１ａ  浮力材
３  紐
Ａ  救命胴衣
Ｂ  装着者
【図１】
2004168231.tif 000003
【図２】
2004168231.tif 000004
【図３】
2004168231.tif 000005
【図４】
2004168231.tif 000006
【図５】
2004168231.tif 000007
【図６】
2004168231.tif 000008
【図７】
2004168231.tif 000009
【図８】
2004168231.tif 000010